(57)【要約】【課題】  遊技盤を支持可能な支持部材を交換するにあたって、作業を安全かつ効率良く行う。【解決手段】  遊技場に設置されたパチンコ機１０のガラス枠ユニット１３の交換を行うには、ストッパーを固定位置から固定解除位置に変位させ、支持部材２２を本体基部１１から取り外し可能な状態にする。ストッパーを固定解除位置に回転させると、押出装置５１の押出部材５１ｂが支持部材２２を押し出す。このとき、支持部材２２の取っ手５０が押出装置５１の押出部５１ｄに係止した状態となって、支持部材２２が本体基部１１に仮保持された状態となる。取っ手５０を変位させて取っ手５０と押出部５１ｄとの係止を解除し、取っ手５０を把持しながらガラス枠ユニット１３を本体基部１１から取り外す。【選択図】        図７
2005058674.tif 000002
【特許請求の範囲】
【請求項１】
遊技媒体が打ち出される遊技領域を有する遊技盤を支持可能な支持部材と、前記支持部材が着脱自在に取り付けられる本体基部とを備えた弾球遊技機において、
把持することが可能な形状に形成され、前記支持部材が前記本体基部から取り外される方向に押し出された場合に、前記本体基部に係止して前記支持部材を所定位置で係止させる係止部を前記支持部材に設けたことを特徴とする弾球遊技機。
【請求項２】
前記支持部材と前記本体基部との固定を解除したときに、前記取り外される方向に変位する押出部材を前記所定位置まで変位させることによって、前記係止部を把持することが可能となるように前記支持部材を押し出す押出装置を前記本体基部に設け、前記係止部は前記所定位置まで変位した前記押出部材と係止し、前記支持部材を所定位置で保持することを特徴とする請求項１記載の弾球遊技機。
【請求項３】
前記係止部は、前記押出部材が変位する方向と略垂直な方向に変位自在に設けられていることを特徴とする請求項１又は２記載の弾球遊技機。
【請求項４】
前記支持部材を端部で前記本体基部に係合させる係合部を、前記本体基部及び前記支持部材の少なくともいずれか一方に設けるとともに、前記本体基部に前記支持部材を固定する固定位置と、前記本体基部と前記支持部材との固定を解除する固定解除位置との間で変位する可動部材を備えた固定装置を、前記本体基部及び前記支持部材の少なくともいずれか一方の前記係合部と異なる端部に設けたことを特徴とする請求項１〜３のいずれかに記載の弾球遊技機。
【発明の詳細な説明】
【技術分野】
【０００１】
本発明は、遊技場に設置して使用されるパチンコ機などの弾球遊技機に関するものである。
【背景技術】
【０００２】
本明細書中では、遊技媒体としてパチンコ球を用いて説明するが、遊技媒体としてはメダルなどの他の媒体も含む。また、遊技盤面に設けられた入賞口にパチンコ球が入ることを入賞とする。
【０００３】
弾球遊技機の一つであるパチンコ機はパチンコ店などの遊技場に設置されている。一般にパチンコ機を含む弾球遊技機は、パチンコ球が打ち出される遊技領域が前面に設けられた遊技盤が着脱自在に取り付けられ、前記遊技領域を透視可能にする窓部が開閉自在に設けられた本体基部を備えている。遊技盤の背面には遊技に基づいて作動される駆動装置を作動制御する作動制御装置やパチンコ球の通路などが取り付けられており、遊技性の異なるパチンコ機の機種交換が行われる際には、遊技場で新たな機種のパチンコ機と設置中の古い機種のパチンコ機とが本体基部ごと全て交換されるか、又は、遊技盤のみが交換される。
【発明の開示】
【発明が解決しようとする課題】
【０００４】
ところで、パチンコ機は機種に関わらず多くの共通部品が使用されているが、本体基部ごと全て交換してしまうと、共通部品をリユースできなくなり、機種交換に伴うコストが高くなってしまう。また、遊技盤のみを交換した場合、パチンコ機の外観のデザインに変化がないため、外観から新たな機種のイメージが遊技者に伝わりにくい。
【０００５】
このため、パチンコ機に、遊技盤及び窓部の少なくともいずれかを支持可能な支持部材と、前記支持部材が着脱自在に設けられる本体基部とを設け、機種交換の際に遊技盤及び窓部とともに支持部材を交換可能とすることによって、共通部品のリユースを可能にしながら、パチンコ機の外観のイメージを一新することが検討されている。
【０００６】
しかしながら、遊技盤及び窓部が取り付けられた支持部材は、支持部材の重量に、遊技盤、窓部、遊技盤に取り付けられた作動制御装置やパチンコ球の通路などの重量が加わって、その重量が非常に重くなるため、作業者１人で支持部材を保持しながら本体基部に取り付けることが困難になる。このため、作業者は支持部材の本体基部からの取り外し、支持部材の本体基部への取り付け、支持部材の持ち運びなどの作業を行う際に支持部材を落下させてしまうおそれがあり、このことが、支持部材や遊技盤や窓部などの破損の原因や作業者の怪我の原因、支持部材の交換に伴う作業効率の低下の原因となることが考えられる。
【０００７】
本発明は、上記課題を解決するためになされたもので、遊技盤を支持可能な支持部材を交換する際の作業を安全かつ効率良く行うことができるようにした弾球遊技機を提供することを目的とする。
【課題を解決するための手段】
【０００８】
上記目的を達成するために、本発明の弾球遊技機は、遊技媒体が打ち出される遊技領域を有する遊技盤を支持可能な支持部材と、前記支持部材が着脱自在に取り付けられる本体基部とを備えた弾球遊技機において、把持することが可能な形状に形成され、前記支持部材が前記本体基部から取り外される方向に押し出された場合に、前記本体基部に係止して前記支持部材を所定位置で係止させる係止部を前記支持部材に設けたものである。
【０００９】
なお、前記支持部材と前記本体基部との固定を解除したときに、前記取り外される方向に変位する押出部材を前記所定位置まで変位させることによって、前記係止部を把持することが可能となるように前記支持部材を押し出す押出装置を前記本体基部に設け、前記係止部は前記所定位置まで変位した前記押出部材と係止し、前記支持部材を所定位置で保持することが好ましい。
【００１０】
また、前記係止部は、前記押出部材が変位する方向と略垂直な方向に変位自在に設けられていることが好ましい。
【００１１】
また、前記支持部材を端部で前記本体基部に係合させる係合部を、前記本体基部及び前記支持部材の少なくともいずれか一方に設けるとともに、前記本体基部に前記支持部材を固定する固定位置と、前記本体基部と前記支持部材との固定を解除する固定解除位置との間で変位する可動部材を備えた固定装置を、前記本体基部及び前記支持部材の少なくともいずれか一方の前記係合部と異なる端部に設けることが好ましい。
【発明の効果】
【００１２】
以上のように、本発明の弾球遊技機では、把持することが可能な形状に形成され、遊技盤を支持可能な支持部材が本体基部から取り外される方向に押し出された場合に、本体基部に係止して支持部材を所定位置で係止させる係止部を支持部材に設けたので、支持部材を容易に保持することが可能になり、支持部材の本体基部からの取り外し、支持部材の本体基部への取り付け、支持部材の持ち運びなど、支持部材を交換する際の作業を安全かつ作業良く行うことができる。
【００１３】
また、支持部材と本体基部との固定を解除したときに、支持部材が本体基部から取り外される方向に変位する押出部材を所定位置まで変位させることによって、係止部を把持することが可能となるように支持部材を押し出す押出装置を本体基部に設け、係止部は所定位置まで変位した押出部材と係止し、支持部材を所定位置で保持するので、支持部材を本体基部から取り外す際に、支持部材を引き出す必要がなくなり、支持部材を交換する際の作業を効率良く行うことができる。
【００１４】
また、係止部は、押出部材が変位する方向と略垂直な方向に変位自在に設けられているので、係止部を把持するときに係止部を変位させれば係止部を把持しやすくなり、支持部材を交換する際の作業を効率良く行うことができる。
【００１５】
また、支持部材を端部で本体基部に係合させる係合部を、本体基部及び支持部材の少なくともいずれか一方に設けるとともに、本体基部に支持部材を固定する固定位置と、本体基部と支持部材との固定を解除する固定解除位置との間で変位する可動部材を備えた固定装置を、本体基部及び支持部材の少なくともいずれか一方の係合部と異なる端部に設けたので、係合部で支持部材と本体基部とを係合させることによって、支持部材を本体基部に対して位置決めすることが可能になり、支持部材を交換する際の作業を効率良く行うことができる。
【発明を実施するための最良の形態】
【００１６】
図１及び図２に示す本実施形態のパチンコ機１０は、本体基部１１、遊技盤１２、ガラス枠ユニット１３から構成されている。
【００１７】
本体基部１１は、上部と下部の２つに区画された枠形状に形成されており、本体基部１１の下部には、操作ハンドル１１ａ、後述する受皿２１、パチンコ球発射装置などが一体にされた下部ユニット１１ｂが設けられている。また、下部ユニット１１ｂの上方で本体基部１１の裏側には、後述する図柄表示装置１４の表示制御、ランプＲの点灯制御、スピーカーＳから出力される音声制御などの各駆動装置を作動制御するサブ制御基盤（サブ制御装置）１１ｃ及び機種に応じた遊技の実行処理を行い、さらに、サブ制御基板１１ｃに対して命令を行うための制御を行うメイン制御基盤（メイン制御装置）１１ｄが設けられている。
【００１８】
遊技盤１２の前面側には遊技領域が設けられており、この遊技領域には、図柄表示装置１４、始動入賞口１５、通常入賞口１６、通過入賞口１７、アタッカ１８、アウト口１９が設けられている。図示は省略してあるが、遊技盤１２の遊技領域にはその他複数の障害釘や風車などが適宜箇所に設けられている。
【００１９】
操作ハンドル１１ａが回動操作されると、パチンコ球の発射装置によってパチンコ球（遊技媒体）が遊技盤１２の遊技領域に打ち出されると、始動入賞口１５、通常入賞口１６、通過入賞口１７、アウト口１９のいずれかに入る。始動入賞口１５にパチンコ球が入賞すると図柄表示装置１４が作動され、表示されている図柄の可変表示が所定時間行われて当たり抽選判定やこの判定の結果に応じて演出処理が行われる。そして、図柄の可変表示が停止されたときに入賞有効位置上に予め定められた図柄の組み合わせが得られると当たりとなり、遊技者にとって有利となる遊技状態へと所定期間内移行される。
【００２０】
当たりが得られるときに生じる有利な遊技状態となると、例えば開閉可能な扉からなるアタッカ１８が１回につき所定時間又はパチンコ球が所定個数入賞するまで開放状態となり、これが所定回数繰り返される。始動入賞口１５、通常入賞口１６又はアタッカ１８にパチンコ球が入賞すると所定個数の景品球となる賞球払い出しが行われる。すなわち、入賞された入賞口の種類に応じた個数のパチンコ球が景品球として払い出し口２０から受皿２１に払い出される。一方、始動入賞口１５、通常入賞口１６又はアタッカ１８にパチンコ球が入賞しなかった場合は、未入賞のパチンコ球としてアウト口１９に入ってハズレ球として回収される。
【００２１】
図２に示すように、ガラス枠ユニット１３は、支持部材２２と窓部２３とから構成されている。本体基部１１には、支持部材２２の外周よりも一回り大きく凹ませた支持部材取付部１１ｅが形成されている。支持部材取付部１１ｅには支持部材２２が着脱自在に取り付けられる。
【００２２】
支持部材２２は遊技盤１２及び窓部２３を支持可能な構造となっている。支持部材２２は、矩形の枠状に形成され、その前面側からは遊技盤１２が着脱自在に取り付けられる。窓部２３は支持部材２２に回転自在で、かつ着脱自在に取り付けられている。窓部２３を回転させると、支持部材２２の前面側を開閉することが可能になる。窓部２３の前面は、ランプＲやスピーカーＳなどが取り付けられている。
【００２３】
窓部２３にはガラス窓２４が取り付けられている。ガラス窓２４は、ガラス枠２４ａとガラス２４ｂとから構成されている。ガラス２４ｂはガラス枠２４ａに嵌め込まれている。ガラス枠２４ａは、窓部２３に対して回転自在でかつ着脱自在に取り付けられている。窓部２３は遊技盤１２の前面側に配置されているため、窓部２３が支持部材２２の前面を閉じた状態のとき、ガラス２４ｂを通して遊技盤１２の遊技領域が透視可能となる。
【００２４】
図３及び図４及び図８に示すように、本体基部１１の前面の上部（係合部と異なる端部）２箇所には、支持部材２２を本体基部１１に着脱自在に固定する一対のストッパー（可動部材）３０が取り付けられている。ストッパー３０は、軸３０ａを中心に回転自在に取り付けられている。ストッパー３０の支持部材２２と対面する背面には突起３０ｂが形成されている。また、本体基部１１には切り欠き１１ｆ、支持部材２２には係合孔２２ａが形成されている。切り欠き１１ｆと係合孔２２ａとは、ストッパー３０の回転移動に伴って突起３０ｂが嵌り込んで係合することが可能な形状又は大きさに切り欠かれて形成されている。ストッパー３０は、係合孔２２ａに係合して支持部材２２を本体基部１１に固定する固定位置と切り欠き１１ｆに係合して支持部材２２を本体基部１１から取り外し可能な状態にする固定解除位置との間で変位される。このように、ストッパー３０と切り欠き１１ｆ及び係合孔２２ａとは固定装置を構成している。
【００２５】
図５に本体基部１１及び支持部材２２の背面側の斜視図を示す。なお、図の煩雑化を防ぐため、本体基部１１の下部ユニット１１ｂ、遊技盤１２、窓部２３は省略してある。
【００２６】
支持部材２２の背面の下部（端部）で、その幅方向の両端部には、支持部材２２を本体基部１１に着脱自在に固定するための係合部材４０，４１が設けられている。係合部材４０，４１は板状の材料を折り曲げることによって略コの字状に形成されており、支持部材２２の下端から突出するように支持部材２２の背面に取り付けられている。
【００２７】
本体基部１１には、支持部材２２が設置されたときに、支持部材２２を保持する保持部１１ｇが形成されている。保持部１１ｇで本体基部１１の背面側の面には係合部材接合部１１ｈ，１１ｊが形成されている。係合部材接合部１１ｈ，１１ｊは、係合部材４０，４１の幅寸法と略同等の幅寸法に形成されており、支持部材２２が保持部１１ｇに設置されると、支持部材２２の下端から突出した係合部材４０，４１の接合面が係合部材接合部１１ｈ，１１ｊの接合面に当接して支持部材２２の下部が本体基部１１に保持される。このように、係合部材４０，４１と係合部材接合部１１ｈ，１１ｊとは係合部を構成している。この後、ストッパー３０を回転させると支持部材２２が本体基部１１に固定される。
【００２８】
図６〜図９に示すように、支持部材２２には、取っ手（係止部）５０が設けられている。取っ手５０は把持することが可能な門型形状に形成されており、両端の脚部５０ａ、５０ｂが支持部材２２に対して変位させることが可能となるように取り付けられている。これにより、取っ手５０は、図７の矢印Ａの示す方向（後述する押出部材５１ｂが変位する方向と略垂直な方向）に変位させることができる。このため、取っ手５０を矢印Ａ方向に変位させながら把持すると、支持部材２２を直接保持する場合に比べて、支持部材２２の本体基部１１からの取り外しや支持部材２２の持ち運びが容易になる。
【００２９】
また、本体基部１１には、図１０及び図１１に示す押出装置５１が取り付けられている。押出装置５１は、装置本体５１ａ、支持部材２２が本体基部１１から取り外される方向に変位自在な押出部材５１ｂ、バネ５１ｃから構成されている。
【００３０】
装置本体５１ａは本体基部１１に固定されており、装置本体５１ａには、押出部材５１ｂ及び一対のバネ５１ｃが取り付けられている。押出部材５１ｂは前端が上方向、後端が下方向に屈曲して形成されており、図６の装置本体５１ａに押出部材５１ｂが収納された状態から図７中の矢印Ｂの示す方向（支持部材２２が本体基部１０からの取り外される方向）に押出部材５１ｂが変位可能となるように装置本体５１ａに取り付けられている。バネ５１ｃは、一端が装置本体５１ａ、他端が押出部材５１ｂ後方の左右両端に取り付けられている。
【００３１】
押出部材５１ｂの一端側の上方向に屈曲した部分は押圧部５１ｄとなっている。押出部材５１ｂが図７中の矢印Ｂの示す方向に支持部材２２を押し出すように変位し、押出部材５１ｂが装置本体５１ａから突出すると、押圧部５１ｄは取っ手５０に係合し、取っ手５０が押出部５１ｄに係止する。
【００３２】
押出部材５１ｂの押圧部５１ｄと反対側の部分には、バネ係合部５１ｅが設けられている。バネ係合部５１ｅはバネ５１ｃと係合している。バネ５１ｃは、押圧部１１ｄが装置本体５１ａの内部方向（パチンコ機１０の背面側に向かう方向）に押出部材５１ｂを変位させ、押出部材５１ｂが装置本体５１ａ内に収納されると、押出部材５１ｂを支持部材２２の本体基部１０からの取り外し方向（パチンコ機１０の前面側に向かう方向）に付勢する。装置本体５１ａの一端側には、下方向に屈曲された変位規制部５１ｆが形成されている。変位規制部５１ｆはバネ係合部５１ｅに係止して押出部材５１ｂの変位を規制する。押出部材５１ｂが支持部材２２の本体基部１０からの取り外し方向に変位すると、バネ係合部５１ｅが装置本体５１ａの変位規制部５１ｆと係止するとともに、屈曲部５１ｄと取っ手５０とが係止するので、押出部材５１ｂが装置本体５１ａに収納された収納位置から所定位置まで変位される。
【００３３】
次に、上記のように構成された本実施形態におけるパチンコ機１０の作用について説明する。遊技場に設置されたパチンコ機１０のガラス枠ユニット１３の交換を行うには、支持部材２２の前面側を閉じた状態となっている窓部２３を回転させて支持部材２２の前面を開放し、支持部材２２上部の２箇所に設けられたストッパー３０を固定位置から固定解除位置に変位させ、支持部材２２を本体基部１１から取り外し可能な状態にする。
【００３４】
ストッパー３０を固定解除位置に回転させると、押出装置５１の押出部材５１ｂがバネ５１ｃの付勢によって、装置本体５１ａ内から図７中Ｂ方向の支持部材２２を取り外し可能な所定位置まで押し出され、押出部５１ｄが支持部材２２に当接して支持部材２２を押し出す。支持部材２２は、一端側で係合部材４０，４１と係合部材接合部１１ｈ，１１ｊとが接合されることによって保持された部分が支点となってパチンコ機１０の前面側に倒れ込むようにその上部が押し出される。このとき、支持部材２２の取っ手５０が所定位置まで変位した押出装置５１の押出部５１ｄと係合されて係止状態となって、支持部材２２が取っ手３０を把持することが可能な所定位置で保持（仮保持）された状態となる。これにより、ガラス枠ユニット１３は、上部が前面側に傾き、支持部材２２が本体基部１１から取り外しが容易な状態で保持される。
【００３５】
この後、図１２に示すように、支持部材２２と本体基部１１との間に手を挿入して取っ手５０を把持し、取っ手５０を図７中Ａ方向に変位させて取っ手５０と押出部５１ｄとの係止状態を解除し、取っ手５０を把持しながらガラス枠ユニット１３を一旦上部に持ち上げて係合部材４０，４１と係合部材接合部１１ｈ，１１ｊとの接合による保持を解除して本体基部１１から取り外す。
【００３６】
次に、ランプＲやスピーカーＳの配置変更などを施した窓部２３や新たな機種に対応した遊技領域が設けられた遊技盤１２に交換し、新たな機種のデザイン及び新たな遊技性に対応したガラス枠ユニット１３を本体基部１１に取り付けるには、ガラス枠ユニット１３の上部をパチンコ機１０の前面側に傾けながら、支持部材２２を本体基部１１の保持部１１ｇ上に設置する。
【００３７】
そして、図１３及び図１４に示すように、係合部材４０，４１と係合部材接合部１１ｈ，１１ｊとを当接させて、支持部材２２を下部で本体基部１１と係合させて保持させる。この後、係合部材４０，４１と係合部材接合部１１ｈ，１１ｊとの係合部分が支点になるように、支持部材２２を回転させながらその途中で取っ手５０を図７中の矢印Ａに示す方向に変位させ、取っ手５０と押出部５１ｄとを係合させて本体基部１１の上部と支持部材２２の上部とを押し当てる。支持部材２２を本体基部１１に押し当てることによって、支持部材２２を支持部材取付部１１ｅ内に組み込んだ後、窓部２３を回転させて支持部材２２の前面を開放するとともに、支持部材２２上部の２箇所のストッパー３０を固定解除位置から固定位置に回転させる。これにより、支持部材２２の上部で支持部材２２が本体基部１１に着脱自在に固定され、新たな機種のデザイン及び新たな機種の遊技性に対応したガラス枠ユニット１３に交換することができる。
【００３８】
上記実施形態では、押出装置５１によって支持部材２２の上部を押し出すようにしたが、例えば支持部材全体を前面側に押し出すようにするなど、支持部材を押し出す箇所及び方法は適宜の方法でよい。また、押出装置の構成も、押出部材を介して支持部材を押し出すようにすれば、適宜の構成にしてよい。
【００３９】
上記実施形態では、ストッパー３０を本体基部１１に設けたが、ストッパー３０は支持部材に設けてもよく、ストッパー３０を設ける位置及び形状も適宜位置に設けてよい。
【００４０】
上記実施形態では、係合部材４０，４１を支持部材２２に設けたが、係合部材を本体基部に設けてもよい。また、係合部材の形状及び配置場所は本体基部と支持部材とを係合させることができれば適宜の形状にしてよい。
【産業上の利用可能性】
【００４１】
本発明は、パチンコ機の他にゲーム機などにも適用することができる。
【図面の簡単な説明】
【００４２】
【図１】本発明を実施したパチンコ機の前面側の斜視図である。
【図２】本体基部からガラス枠ユニットを取り外した状態を示す斜視図である。
【図３】固定部材が固定位置に位置するときの状態を示す斜視図である。
【図４】固定部材が固定解除位置に位置するときの状態を示す斜視図である。
【図５】本体基部及び支持部材の背面側の斜視図である。
【図６】支持部材が押し出される前の状態を示す本体基部及び支持部材の縦断面図である。
【図７】支持部材が押し出される後の状態を示す本体基部及び支持部材の縦断面図である。
【図８】支持部材が押し出される前の状態を示す本体基部及び支持部材の斜視図である。
【図９】支持部材が押し出された後の状態を示す本体基部及び支持部材の斜視図である。
【図１０】押出装置の上面図である。
【図１１】押出装置の前面図である。
【図１２】本体基部からガラス枠ユニットの上部を取り外した状態を示す斜視図である。
【図１３】固定部材が固定部材当接部に当接する前の状態を示す本体基部及び支持部材の縦断面図である。
【図１４】固定部材が固定部材当接部に当接した後の状態を示す本体基部及び支持部材の縦断面図である。
【符号の説明】
【００４３】
１０  パチンコ機
１１  本体基部
１１ｈ，１１ｊ  固定部材接合部
１２  遊技盤
１３  ガラス枠ユニット
２２  支持部材
３０  ストッパー（可動部材）
４０，４１  係合部材
５０  取っ手（係止部）
５１  押出装置
５１ａ  装置本体
５１ｂ  押出部材
【図１】
2005058674.tif 000003
【図２】
2005058674.tif 000004
【図３】
2005058674.tif 000005
【図４】
2005058674.tif 000006
【図５】
2005058674.tif 000007
【図６】
2005058674.tif 000008
【図７】
2005058674.tif 000009
【図８】
2005058674.tif 000010
【図９】
2005058674.tif 000011
【図１０】
2005058674.tif 000012
【図１１】
2005058674.tif 000013
【図１２】
2005058674.tif 000014
【図１３】
2005058674.tif 000015
【図１４】
2005058674.tif 000016